(57)【要約】  本発明はスポーツ及びスポーツリハビリテーションの分野、特にトレーニング及びリハビリテーションのための装置に関し、少なくとも１つのロッド軸に着脱可能に接続されたボールを備え、ロッド軸はその一端に固定手段を備える。【選択図】図１
2018532457.tif 000002
【特許請求の範囲】
【請求項１】
少なくとも１つのロッド軸（３）に着脱可能に接続されたボール（２）を備えたトレーニング及びリハビリテーション用装置（１）であって、
ロッド軸（３）の一端に固定手段（６）を備える
ことを特徴とする装置。
【請求項２】
前記ロッド軸（６）の第２の端部に把持手段（７）が設けられている
ことを特徴とする請求項１に記載の装置。
【請求項３】
前記ボール（２）が、２つのロッド軸（３）に着脱可能に接続され、各ロッド軸の一端に固定手段（６）が設けられている
ことを特徴とする請求項１又は２に記載の装置。
【請求項４】
前記ボール（２）が、４つのロッド軸（３）に着脱可能に接続され、各ロッド軸の一端に固定手段（６）が設けられている
ことを特徴とする請求項１又は２に記載の装置。
【請求項５】
前記ボール（２）が、６つのロッド軸（３）に着脱可能に接続され、各ロッド軸の一端に固定手段（６）が設けられている
ことを特徴とする請求項１又は２に記載の装置。
【請求項６】
前記ボール（２）が、８つのロッド軸（３）に着脱可能に接続され、各ロッド軸の一端に固定手段（６）が設けられている
ことを特徴とする請求項１又は２に記載の装置。
【請求項７】
前記ロッド軸（３）がその周囲に保護手段（８）を備えている
ことを特徴とする請求項１〜６いずれか一項に記載の装置。
【請求項８】
前記ロッド軸（３）は、調節可能な長さを有する
ことを特徴とする請求項１〜７いずれか一項に記載の装置。
【請求項９】
前記ボール（２）のケーシング（４）内に前記固定手段（６）が適合する固定スロット（５）が形成されている
ことを特徴とする請求項１〜８いずれか一項に記載の装置。
【請求項１０】
前記固定手段（６）が、前記固定スロット（５）に挿入される円形のやや凸状の本体（１１）によって形成されている
ことを特徴とする請求項９に記載の装置。
【請求項１１】
前記固定手段（６）は、前記ボール（２）の外側に置かれ、前記固定スロット（５）に適合するインサート（１３）を備えた、円形の凸状のカバー（１２）によって形成される
ことを特徴とする請求項９に記載の装置。
【請求項１２】
固定手段（６）が前記ボール（２）の弁（９）に取り付けられている
ことを特徴とする請求項１〜８いずれか一項に記載の装置。
【発明の詳細な説明】
【技術分野】
【０００１】
本発明は、スポーツ及びスポーツリハビリテーションの分野に関し、特に、少なくとも１つのロッド軸と着脱可能に接続されたボールを備える、トレーニング及びリハビリテーションのための装置に関する。
【背景技術】
【０００２】
球技（スポーツ又はレクリエーションベース）としての適切な使用とは別に、トレーニングツール及びリハビリテーションツールとして、ボールが採用されている。
【０００３】
例えば、バレーボールのテクニックを鍛えるためのぶらさがりボールを開示する技術水準として、文献ＣＺ２１３９０Ｕ１が知られている。ボールは、伸縮自在のロッドに配置された支持アームに位置決めされている。ボールは、ゴムリングによってボールに接着された鉄片と支持アームの端部に配置されたネオジム磁石との間に形成された磁界によってアームに取り付けられる。支持アームは、ボールを有するロッドの横移動を可能にするスプリングを提供する該ロッドによって形成される。
【先行技術文献】
【特許文献】
【０００４】
【特許文献１】ＣＺ２１３９０Ｕ１
【発明の概要】
【発明が解決しようとする課題】
【０００５】
この解決手段の欠点は、ボールの使用が体育館でのトレーニングに限られており、バレーボールのストローク（スパイク）の特定のトレーニングにしか使用できないことである。このように改造されたボールは、ボールに配置された鉄片による傷害のおそれがあるために、通常のプレーには使用できない。このように改造されたボールは、他のスポーツやリハビリテーションのために使用することはできない。
【０００６】
本発明の目的は、異なる球技のトレーニングにもリハビリテーション装置にも役立つことができる万能な装置を作り出すことであるが、ボールは通常のプレーにも使用することができる。
【課題を解決するための手段】
【０００７】
この目的は、本発明によるトレーニング及びリハビリテーションのための装置によって解決される。この装置は、少なくとも１つのロッド軸に着脱可能に接続されたボールを備え、ロッド軸には、その一端にボールに固定するための固定手段（ａｎｃｈｏｒｉｎｇ  ｍｅａｎｓ，アンカー手段）が設けられている。
【０００８】
ボールは、あらゆるスポーツ用に設計されたあらゆる形状のあらゆるボール又は小球、任意に特定のスポーツ用の指定のないボールとして理解されるべきである。ボールは、ゴム入り積層材料、発泡体、軟質発泡体などからの複合材料から作られたゴム、プラスチック、弾性ゴム、皮革などのあらゆる材料から作られる。
【０００９】
ボールはシングルシェルボール（ｓｉｎｇｌｅ−ｓｈｅｌｌ  ｂａｌｌｓ）又はダブルシェルボール（ｄｏｕｂｌｅ−ｓｈｅｌｌ  ｂａｌｌｓ）のいずれかであることができる。シングルシェルボールは単一のシェルを有する。ダブルシェルボールの場合、外側シェルはボールのケーシング又はカバーであり、第２のシェルはボールの袋である。
【００１０】
ロッド軸は、例えば硬質プラスチック、木材、金属などの硬質材料から、又は例えばゴム、シリコン、弾性ゴム、網状多層ゴム、軟質発泡体、発泡体などの可撓性材料であってもよく、複合材料でできていてもよい。ロッド軸は、例えば伸縮ロッドの形態の固定長さ又は調節可能長さのいずれかを有することができる。ロッド軸は、任意の断面、例えば、円形、半円形、四角形又は六角形の断面を有してもよい。ロッド軸は、ボールに容易に取り付けることができ、ボールから容易に取り外すことができるが、軸を備えていないボールは、通常のプレーに使用することができる。
【００１１】
固定手段は、通常、プラスチック、ゴム、シリコーン又は複合材料のような可撓性材料からなる異なる材料でできていてもよいが、好ましくは、ボールのケーシング内の固定スロット（ａｎｃｈｏｒｉｎｇ  ｓｌｏｔ，アンカースロット）の位置での磨耗を最小限に抑え、同時にボールを備える装置を使用する人が固定スロットの部分に接触した場合の怪我を防止する材料が用いられる。固定手段は、多くの異なる方法によって作製することができる。重要なことは、固定手段は、ボールとロッド軸との接続を確実にしてトレーニングやリハビリテーションの際にボールが意図せず外れないようにすることである。
【００１２】
固定手段は、ボールの弁に密接に適合するように配置されてもよいが、ボールの弁とは反対の位置にあってもよく、任意にボールの弁の任意の他の位置にあってもよい。
【００１３】
ダブルシェルボールの場合、固定手段は、通常、ボールの弁の外側に配置される。
【００１４】
本発明の一実施形態では、固定スロットは、固定手段が適合するボールのケーシング（ボールの弁の外側）に形成される。固定スロットは、ボールのケーシング内における穴としてボールの外側ケーシング内に作られているので、ボールの袋は影響を受けない。スロットの形状及び直径は、ボールのケーシング内の固定手段の適合及び保持を可能にし、トレーニング又はリハビリテーション中の固定手段の自然放出を防止するようになっている。通常のプレーのためにボールを使用する観点から、スロットが可能な限り小さい直径のものであれば便利である。
【００１５】
本発明の一実施形態では、固定手段は、円形のやや凸状の本体であり、固定スロットに挿入される。固定手段は、ロッド軸と接続し、固定スロット内に固定するために、コイル（内側コイル又は外側コイル）を備える（任意の形状の頭部を有する）ボルトのような接続材料を設けてもよく、積層、滑り止め手段又は溝をその外周にさらに設けてもよい。
【００１６】
本発明の別の実施形態では、固定手段は、ボールの外側に配置され、固定スロットに適合するインサートをさらに備えた円形の外側凸状カバーである。
【００１７】
インサートは、例えば、円筒の形状であってもよいし、円錐台の形状であってもよい。インサートは、ゴム、シリコーンなどのような任意の可撓性材料からなることができる。インサートが一体に作られている場合、鋳造の形態であってもよく、又は標準接続手段を用いていくつかの部品から組み立てられてもよい。固定手段は、通常、ボールがより軟らかく、ボールの袋がインサートの形状に適応するときに、ボール内の圧力が低下すると、ボールに挿入される。ボールを再膨張させた後、インサートは固定スロットの内部に容易に保持される。カバーには、固定手段を固定するための他の手段、例えば、積層、滑り止め突起などを設けることができる。カバーにコイルを設けることもできる。インサートは、ボルト、可撓性座金、強化リングなどの適切な手段によってカバーと接続される。
【００１８】
本発明の別の実施形態では、シングルシェルボールに関連して、固定手段は、典型的にはボールの弁に取り付けられるように配置される。弁と固定手段とは、通常の接続手段によって接続してもよい。弁は、例えば、固定手段を外した後に、ボールを再膨張させるために用いてもよい。弁と固定手段とは、例えば接着によって常時接続することもできる。
【００１９】
ロッド軸と固定手段との間の接続は、強固であってもよいし、着脱可能な方法であってもよい。着脱可能であれば、通常、内部コイル又は外部コイルを備えたねじ付きロッドを使用して、コイルによって接続の着脱性が保証される。
【００２０】
安全性を高め、負傷のリスクを低減するために、安全コード又は糸をボールに設けることができる。これにより、予期しないボールの断裂、損傷又は破損が生じた場合でもボールがロッド軸に引っ掛かったままである。
【００２１】
好ましくは、ロッド軸の第２の端部には、把持手段が設けられている。把持手段は、例えば、リング（硬質プラスチック又は可撓性ゴム）、Ｔ字状のグリップ、ハンドル、ハンドグリップ、柄又はストラップであってもよい。把持手段は、常時接続によってロッド軸に取り付けることができ、又は把持手段をロッド軸に取り付けるための好適な手段を用いて（例えばネジ止めによって）取り付け可能である。把持手段は、例えば、プラスチック、アルミニウム、チタン、カーボン、スチールのような硬質の材料、又はシリコーン、弾性ゴム又は複合材料のような可撓性の材料から作られてもよい。
【００２２】
好ましくは、ボールは、２つ、４つ、６つ又は８つのようなより多くのロッド軸と着脱可能な方法で接続される。このような場合、各ロッド軸の一端に固定手段が設けられ、各ロッド軸に対して、対応する固定スロットがボールのケーシング内に形成され、ロッド軸の固定手段がスロット内に適合する。
【００２３】
好ましくは、ロッド軸は、その周囲に保護手段を備えており、その目的は、ロッド軸と接触している使用者の損傷を防止することである。保護手段は、ロッド軸に常時接着された軟化した材料の形態であってもよい。この場合、把持手段は、典型的には、保護手段に取り付けられる。保護手段はまた、ロッド軸に押し込まれる（ｐｕｓｈｅｄ  ｏｎｔｏ）か又はロッド軸に沿って広がる（ｓｐｒｅａｄ  ｔｏ）軟化した材料からなるスリーブの形態であってもよい。この場合、保護手段は、適切な保持手段によってロッド軸に固定される。
【００２４】
好ましくは、ロッド軸は、調節可能な長さを有する。これは、例えば長さを調整するための孔を備えた伸縮ロッドを使用することによって達成することができる。
【００２５】
個々の部品を接続する際には、ボルト（円形、半円形、又は円錐形の頭部付き）、安全ボルト、ペグ、ピボット、内側及び外側コイルを備えたねじ付きロッド、ケーシング、座金、ばね、可撓性座金、ナット、ポール、コード、ストリングなどのあらゆる利用できる接続材料及び予備材料を用いることができる。
【００２６】
本発明は、図面中の図によって詳細に示されている。
【図面の簡単な説明】
【００２７】
【図１】図１は、ロッド軸に取り付けられたプラスチックリングの形態の把持手段をその結んでいない端部に備えた、中実のロッド軸を備えた装置を示す。
【図２】図２は、ロッド軸に常時接続されたゴムのリングの形態の把持手段をその結んでいない端部に備えた可撓性ロッド軸を備えた装置を示す。
【図３】図３は、長さを調整するための穴を備えた伸縮ロッドの形態の調節可能な長さを有するロッド軸を有する装置を表しており、ロッド軸には、取り付け可能な保護スリーブ及び安全カバーが設けられている。
【図４】図４は、長さを調節するための穴を備えた伸縮ロッドの形態の調節可能な長さを有するロッド軸を備えた装置を表しており、ロッド軸にはさらに、高速に取り付けられた保護スリーブが設けられており、保護スリーブのための固定手段を備えている。
【図５】図５は、中実のロッド軸を備えた装置を示しており、高速に取り付けられた保護スリーブが設けられ、保護スリーブの側面にストラップがさらに設けられている。
【図６】図６は、ロッド軸への接続の表示を含む、１つのロッド軸に着脱可能に取り付けられたボールと、軸をボールのケーシング内に固定するための（わずかに凸状の円形本体の形態での）固定手段の位置の詳細を示す。
【図７】図７は、１つのロッド軸に着脱可能に取り付けられたボールと、軸をボールのケーシング内に固定するための（わずかに凸状の円形本体の形態での）固定手段の位置の詳細を示す。
【図８】図８は、ロッド軸との接続の表示を含む、２つのロッド軸に着脱可能に取り付けられたボールと、軸をボールのケーシング内に固定するための（わずかに凸状の円形本体の形態での）２つのそれぞれの固定手段の位置の詳細を示す。
【図９】図９は、ロッド軸との接続の表示を含む、４つのロッド軸に着脱可能に取り付けられたボールと、ボールのケーシングに軸を固定するための（わずかに凸の円形体の形態での）４つのそれぞれの固定手段の位置の詳細を表す。
【図１０】図１０から図１６は、少し凸の円形体の形態でボールのケーシングに軸を固定する固定手段のいくつかの例を表す。
【図１１】図１０から図１６は、少し凸の円形体の形態でボールのケーシングに軸を固定する固定手段のいくつかの例を表す。
【図１２】図１０から図１６は、少し凸の円形体の形態でボールのケーシングに軸を固定する固定手段のいくつかの例を表す。
【図１３】図１０から図１６は、少し凸の円形体の形態でボールのケーシングに軸を固定する固定手段のいくつかの例を表す。
【図１４】図１０から図１６は、少し凸の円形体の形態でボールのケーシングに軸を固定する固定手段のいくつかの例を表す。
【図１５】図１０から図１６は、少し凸の円形体の形態でボールのケーシングに軸を固定する固定手段のいくつかの例を表す。
【図１６】図１０から図１６は、少し凸の円形体の形態でボールのケーシングに軸を固定する固定手段のいくつかの例を表す。
【図１７】図１７は、１つのロッド軸に着脱可能に取り付けられたボールと、ボールのケーシングに軸を固定する（円形状の凸のカバーの形態で、インサートを備える）固定手段の位置の詳細を表す。
【図１８】図１８は、１つのロッド軸に着脱可能に取り付けられたボールと、ボールのケーシングに軸を固定する（円形状の凸のカバーの形態で、インサートを備える）固定手段の位置の詳細を表す。
【図１９】図１９は、２つのロッド軸に着脱可能に取り付けられたボールと、ボールのケーシングに軸を固定する（円形状の凸のカバーの形態で、インサートを備える）それぞれの固定手段の位置の詳細を表す。
【図２０】図２０は、２つのロッド軸に着脱可能に取り付けられたボールと、ボールのケーシングに軸を固定するそれぞれの固定手段（円形状の凸のカバーの形態で、インサートを備える）の位置の詳細を表す。
【図２１】図２１から図２６は、インサートを備え、円形状の凸のカバーの形態で、ボールのケーシングに軸を固定するための固定手段のいくつかの例を表す。
【図２２】図２１から図２６は、インサートを備え、円形状の凸のカバーの形態で、ボールのケーシングに軸を固定するための固定手段のいくつかの例を表す。
【図２３】図２１から図２６は、インサートを備え、円形状の凸のカバーの形態で、ボールのケーシングに軸を固定するための固定手段のいくつかの例を表す。
【図２４】図２１から図２６は、インサートを備え、円形状の凸のカバーの形態で、ボールのケーシングに軸を固定するための固定手段のいくつかの例を表す。
【図２５】図２１から図２６は、インサートを備え、円形状の凸のカバーの形態で、ボールのケーシングに軸を固定するための固定手段のいくつかの例を表す。
【図２６】図２１から図２６は、インサートを備え、円形状の凸のカバーの形態で、ボールのケーシングに軸を固定するための固定手段のいくつかの例を表す。
【図２７】図２７から図３０は、ボールと、ボールのケーシングに軸を固定する固定手段と、ロッド軸との相互接続のいくつかの例の詳細を表す。
【図２８】図２７から図３０は、ボールと、ボールのケーシングに軸を固定する固定手段と、ロッド軸との相互接続のいくつかの例の詳細を表す。
【図２９】図２７から図３０は、ボールと、ボールのケーシングに軸を固定する固定手段と、ロッド軸との相互接続のいくつかの例の詳細を表す。
【図３０】図２７から図３０は、ボールと、ボールのケーシングに軸を固定する固定手段と、ロッド軸との相互接続のいくつかの例の詳細を表す。
【図３１】図３１から図３６は、シングルシェルのボールの場合の、ボールと、ボールのケーシングに軸を固定する固定手段と、ロッド軸との相互接続のいくつかの例の詳細を表す。
【図３２】図３１から図３６は、シングルシェルのボールの場合の、ボールと、ボールのケーシングに軸を固定する固定手段と、ロッド軸との相互接続のいくつかの例の詳細を表す。
【図３３】図３１から図３６は、シングルシェルのボールの場合の、ボールと、ボールのケーシングに軸を固定する固定手段と、ロッド軸との相互接続のいくつかの例の詳細を表す。
【図３４】図３１から図３６は、シングルシェルのボールの場合の、ボールと、ボールのケーシングに軸を固定する固定手段と、ロッド軸との相互接続のいくつかの例の詳細を表す。
【図３５】図３１から図３６は、シングルシェルのボールの場合の、ボールと、ボールのケーシングに軸を固定する固定手段と、ロッド軸との相互接続のいくつかの例の詳細を表す。
【図３６】図３１から図３６は、シングルシェルのボールの場合の、ボールと、ボールのケーシングに軸を固定する固定手段と、ロッド軸との相互接続のいくつかの例の詳細を表す。
【発明を実施するための形態】
【００２８】
発明の実施形態の記載された実施例は図示目的のためのみはたらき、発明をこれらの実施例に限定するように意図されないということが理解される。当業者が通常の実験を用いてこの文書に記載された特定の実施形態との均等物を作成することは自明である。これらの均等物は保護のための以下のクレームによって規定された保護の範囲内に含まれる。
【００２９】
［実施形態１］
トレーニング及びリハビリテーションのための装置１は、 ダブルシェルボール２によって形成され、そのケーシング４内で固定スロット５が彫られ、その中に円形状の本体１１の形態でボール２のケーシング４に固定する固定手段６が差し込まれ、ロッド軸３の端部に取り付けられる。 その第２の端部に、ロッド軸３はプラスチックのリングの形態で把持手段７を備える。この装置は図１と図６との組み合わせに相当する。
【００３０】
［実施形態２］
トレーニング及びリハビリテーションのための装置１は、ダブルシェルボール２によって、そのケーシング４内で固定スロット５が彫られ、その中に円形状の本体１１の形態でボール２のケーシング内に固定する固定手段６が差し込まれ、ロッド軸３の端部に取り付けられ、伸縮ロッドによって表される。その第２の端部に、ロッド軸３はプラスチックのリングの形態で把持手段７を備える。ロッド軸３は、軟質化された材料から、取付可能な保護手段８をその周囲にさらに備える。この装置は図３と図６との組み合わせに相当する。
【００３１】
［実施形態３］
トレーニング及びリハビリテーションのための装置１は、ダブルシェルボール２によって形成され、そのケーシング４内に２つの固定スロット５が彫られ、一方それらのそれぞれの中に円形状の本体１１の形態でボール２のケーシング４内に固定する固定手段６が差し込まれ、対応するロッド軸３の端部に取り付けられる。従って、装置１は２つのロッド軸を備え、互いに反対に位置する。
【００３２】
［実施形態４］
トレーニング及びリハビリテーションのための装置１は、ダブルシェルボール２によって形成され、そのケーシング４内に４つの固定スロット５が彫られ、一方それらのそれぞれの中に円形状の本体１１の形態でボール２のケーシング４内に固定する固定手段６が差し込まれ、対応するロッド軸３の端部に取り付けられる。従って、装置１は、４つのロッド軸を備え、ボールの周囲に配置され、ボールを囲んでいる１つのサークル上に位置し、互いから９０°離れている。
【００３３】
［実施形態５］
トレーニング及びリハビリテーションのための装置１は、ボール２によって形成され、そのケーシング内に固定スロット５が彫られ、その中にロッド軸３の端部に取り付けられる円形状の凸のカバー１２のインサート１３が差し込まれる。その第２の端部に、ロッド軸３はプラスチックリングの形態で把持手段７を備える。この装置は図１と図１８との組み合わせに相当する。
【００３４】
［実施形態６］
トレーニング及びリハビリテーションのための装置１は、シングルシェルボール２によって形成され、その弁９に、固定手段６がロッド軸３の端部に取り付けられる円形状の外側凸カバー１２の形態でボルトで締められる。その第２の端部に、ロッド軸３はプラスチックリングの形態で把持手段７を備える。この装置は図１と図３１との組み合わせに相当する。
【産業上の利用可能性】
【００３５】
本発明によるトレーニング及びリハビリテーションのための装置は、異なったボールスポーツ、すなわち、ストロークのテクニック（例えば、バレーボール）又はキック（例えば、フットボール）のトレーニングのために、そして同時にリハビリテーション運動、又はリハビリテーションフィットネス運動のために用いることができる。
【符号の説明】
【００３６】
１  トレーニング及びリハビリテーションのための装置
２  ボール
３  ロッド軸
４  カバー
５  固定スロット
６  固定手段
７  把持手段
８  保護手段
９  ボールの弁
１０  ボールの袋
１１  円形状の本体
１２  カバー
１３  インサート
【図１】
2018532457.tif 000003
【図２】
2018532457.tif 000004
【図３】
2018532457.tif 000005
【図４】
2018532457.tif 000006
【図５】
2018532457.tif 000007
【図６】
2018532457.tif 000008
【図７】
2018532457.tif 000009
【図８】
2018532457.tif 000010
【図９】
2018532457.tif 000011
【図１０】
2018532457.tif 000012
【図１１】
2018532457.tif 000013
【図１２】
2018532457.tif 000014
【図１３】
2018532457.tif 000015
【図１４】
2018532457.tif 000016
【図１５】
2018532457.tif 000017
【図１６】
2018532457.tif 000018
【図１７】
2018532457.tif 000019
【図１８】
2018532457.tif 000020
【図１９】
2018532457.tif 000021
【図２０】
2018532457.tif 000022
【図２１】
2018532457.tif 000023
【図２２】
2018532457.tif 000024
【図２３】
2018532457.tif 000025
【図２４】
2018532457.tif 000026
【図２５】
2018532457.tif 000027
【図２６】
2018532457.tif 000028
【図２７】
2018532457.tif 000029
【図２８】
2018532457.tif 000030
【図２９】
2018532457.tif 000031
【図３０】
2018532457.tif 000032
【図３１】
2018532457.tif 000033
【図３２】
2018532457.tif 000034
【図３３】
2018532457.tif 000035
【図３４】
2018532457.tif 000036
【図３５】
2018532457.tif 000037
【図３６】
2018532457.tif 000038
【国際調査報告】
2018532457.tif 000039
2018532457.tif 000040